(57)【要約】  【課題】  自給用ではなく、清水を製造・販売用として、積極的に太陽エネルギを取得してエネルギコストを抑えて、清水を効率的に低コストで製造することができる海上移動体を提供する。  【解決手段】  太陽エネルギを収集することができる晴天海域を主として航行し、太陽パネルで得られた太陽エネルギを利用して揚水ポンプ１８で海水を汲み上げ、汲み上げられた海水を蒸発室１２に流入し、太陽エネルギを利用してヒータで加熱して沸騰させ、沸騰によって得られた蒸気を凝縮室１４で凝縮し、該凝縮して得られた清水を貯留タンク１６で貯留する。  【選択図】  図１
2005349922.tif 000002
【特許請求の範囲】
【請求項１】
太陽エネルギ収集手段と、太陽エネルギを利用して海水を汲み上げる揚水ポンプと、汲み上げられた海水を太陽エネルギを利用して加熱して沸騰させる加熱手段と、沸騰によって得られた蒸気を凝縮する凝縮手段と、該凝縮して得られた清水を貯留する貯留タンクと、を備え、太陽エネルギを収集することができる晴天海域を主として航行することを特徴とする造水機能を有する海上移動体。
【請求項２】
太陽エネルギを収集することができる晴天海域を主として航行し、太陽エネルギを利用して海水を汲み上げ、汲み上げられた海水を太陽エネルギを利用して加熱して沸騰させ、沸騰によって得られた蒸気を凝縮し、該凝縮して得られた清水を貯留することを特徴とする海上移動体の造水方法。
【請求項３】
さらに、海水を加熱して沸騰させた後に、残留した塩分を収集することを特徴とする請求項２記載の海上移動体の造水方法。
【発明の詳細な説明】
【技術分野】
【０００１】
本発明は、海上を移動する船舶等の海上移動体に関し、特に海水を清水に変換する造水機能を有する海上移動体及びその造水方法に関する。
【背景技術】
【０００２】
海上を長期に移動する船舶等の海上移動体では、飲用または生活用の清水を確保することが重要である。従来は、飲用及び調理用の清水を陸上で補給し、それ以外の生活水については、船舶等に装備される造水器で造られる水を利用することが一般的に行なわれている。例えば、このような造水器では、内燃機関を冷却するための冷却水を熱源として、該冷却水と海から汲み上げた海水との熱交換を行わせた後、凝縮器にて冷却して、その蒸留水を得て、清水を得ている（例えば、特許文献１）。
【０００３】
また、特許文献２では、造水器を搭載できないような小型のヨットやモータボートにおいて、太陽エネルギを取り込めるようにした透明なガラスによって構成される蒸発室と、太陽熱から遮蔽されて外気によって冷却される凝縮室とを並列させて、凝縮室内で凝縮した清水を得ることが提案されている。
【０００４】
【特許文献１】特公昭３３−６３１４号公報
【特許文献２】特許２７２６５３３号公報
【発明の開示】
【発明が解決しようとする課題】
【０００５】
しかしながら、従来の船舶で行われている造水は、内燃機関の廃熱を利用したり、または太陽熱で簡易に水を蒸発させることを行っており、せいぜいその船舶での自給を図ることを目的としたものに過ぎない。
【０００６】
本発明は、自給用ではなく、清水を販売用として、積極的に太陽エネルギを取得してエネルギコストを抑えて、清水を効率的に低コストで製造することができる海上移動体及び造水方法を提供することをその目的とする。
【課題を解決するための手段】
【０００７】
前述した目的を達成するために、請求項１記載の発明による造水機能を有する海上移動体は、太陽エネルギ収集手段と、太陽エネルギを利用して海水を汲み上げる揚水ポンプと、汲み上げられた海水を太陽エネルギを利用して加熱して沸騰させる加熱手段と、沸騰によって得られた蒸気を凝縮する凝縮手段と、該凝縮して得られた清水を貯留する貯留タンクと、を備え、太陽エネルギを収集することができる晴天海域を主として航行することを特徴とする。
【０００８】
請求項２記載の発明による海上移動体の造水方法は、太陽エネルギを収集することができる晴天海域を主として航行し、太陽エネルギを利用して海水を汲み上げ、汲み上げられた海水を太陽エネルギを利用して加熱して沸騰させ、沸騰によって得られた蒸気を凝縮し、該凝縮して得られた清水を貯留することを特徴とする。
【０００９】
請求項３記載の発明は、請求項２記載の発明において、海水を加熱して沸騰させた後に、残留した塩分を収集することを特徴とする。
【発明の効果】
【００１０】
本発明によれば、太陽エネルギを収集することができる晴天の海域を主として航行し、太陽エネルギ収集手段によって得られた太陽エネルギを利用して揚水ポンプで海水を汲み上げて、加熱手段によって同じく太陽エネルギを利用して汲み上げた海水を加熱して沸騰させて、凝縮手段によって沸騰によって得られた蒸気を凝縮し、貯留タンクに凝縮して得られた清水を貯留することにより、積極的に太陽エネルギを取得して、エネルギコストを抑えて、清水を効率的に製造することができる。こうして貯留タンクに貯留された清水を販売用として使用することができるようになる。
【００１１】
また、海水を加熱して沸騰させた後に、残留した塩分を収集することで、塩の原材料として供給することもできるようになる。
【発明を実施するための最良の形態】
【００１２】
以下、図面を用いて本発明の実施の形態を説明する。
【００１３】
図１は、本発明による海上移動体の全体概略図を表す図である。この例では、海上移動体としての船舶１０に、蒸発室１２と、凝縮室１４と、凝縮室１４で得られた水を貯留する貯留タンク１６と、を備えている。蒸発室１２及び凝縮室１４は、船舶１０のタンク部の容積の１０分の１程度の容積とし、貯留タンク１６は、残りの１０分の９程度の容積とすることができる。
【００１４】
さらに詳細には、図３に示すように、船舶１０は、海水を汲み上げる揚水ポンプ１８を備えている。揚水ポンプ１８によって汲み上げられた海水が流れる管路２０は、凝縮室１４内を通過して蒸発室１２内に連結されている。
【００１５】
蒸発室１２の室内は、凝縮室１４室内と管路２２によって連通されており、さらに凝縮室１４内に溜まった液体は、管路２４及びバルブ２５を介して貯留タンク１６へと流入可能となっている。
【００１６】
さらに、貯留タンク１６からは排出管路２８が連結されており、排出管路２８には排出ポンプ２６が設けられている。
【００１７】
また、凝縮室１４は、真空ポンプ２９によって減圧可能となっている。
【００１８】
図２は、船舶１０の平面図であり、この船舶１０の甲板及び屋上部分には、太陽エネルギ収集手段としての太陽パネル３０が配設されており、太陽パネル３０は、制御器３２に接続されて、制御器３２からヒータ３４、各ポンプ等に必要な電力が供給される。ヒータ３４は、蒸発室１２の加熱を行なうためのものであり、蒸発室１２と共に加熱手段を構成する。また、凝縮室１４が凝縮手段を構成する。
【００１９】
以上のように構成される船舶１０において、その作用を説明する。
【００２０】
船舶１０は、主として晴天の海域を航行しているために、太陽パネル３０によって常に電力が発生されている。この太陽パネル３０からの電力によって揚水ポンプ１８は定期的に稼動して、揚水ポンプ１８によって海から汲み上げられた海水は、管路２０を通り、凝縮室１４内を通過して蒸発室１２へと流入する。
【００２１】
また、太陽パネル３０からの電力によってヒータ３４は適時稼動して、蒸発室１２の加熱を行ない、海水を沸騰させて蒸気を発生させる。蒸発室１２内で発生した蒸気は、管路２２を通り凝縮室１４へと流れる。凝縮室１４は、真空ポンプ２９によって減圧されており、蒸気は、凝縮室１４内を通過する管路２２によって冷却されて、凝縮して、凝縮室１４の底部に清水が滴下する。
【００２２】
凝縮室１４で採取された清水は、バルブ２５を開くと管路２４から貯留タンク１６へと貯留される。管路２４の途中において、適宜、カルキ、ミネラル等の添加物を添加する添加室を別途設けることも可能であり、これにより、清水が長期の保存に耐えうるように処理される。
【００２３】
このようにして生成された清水は、航行中に出合った他の船舶に対して供給することができ、貯留タンク１６から排出ポンプ２６によって排出管路２８を通して供給される。
【００２４】
また、蒸発室１２で沸騰させた後に、残った塩分は、さらに集めて塩の原材料として供給することができる。
【００２５】
以上のように、本発明では、太陽エネルギを積極的に収集することができ、集めた太陽エネルギを利用して海水を原料として清水を製造するために、低コストで販売用の大量の清水を製造することができるようになる。
【図面の簡単な説明】
【００２６】
【図１】本発明による海上移動体の全体概略図を表す図である。
【図２】本発明による海上移動体の平面図である。
【図３】本発明による海上移動体の詳細構成図である。
【符号の説明】
【００２７】
１０  船舶
１２  蒸発室（加熱手段）
１４  凝縮室
１６  貯留タンク
１８  揚水ポンプ
３０  太陽パネル（太陽エネルギ収集手段）
３４  ヒータ（加熱手段）
【図１】
2005349922.tif 000003
【図２】
2005349922.tif 000004
【図３】
2005349922.tif 000005